(57)【要約】      （修正有）【課題】プラントのスケジュール運転に合わせて、プロセス監視を自動的に行い、オペレータの負荷、ストレスを軽減するプラント監視装置を得る。【解決手段】プラントの各プロセスのスケジュール情報とこれに関連する監視情報及び表示情報を予め設定し、格納したスケジュール情報データベースを設け、月日時刻発生部１ａにより発生される時刻情報と、プラント情報入力部１ｃに入力されるプラント運転情報と、予め設定されたスケジュール情報とに基づき、スケジュール状態判定部１ｂにより、スケジュール運転の開始を判定し、スケジュール情報データベースに格納された該当するスケジュールに関連した監視情報によりプロセスの監視を自動的に行うとともに表示情報によりスケジュール、トレンドグラフ、系統図、メッセージなどの表示画面を画面表示出力部１ｊにより出力するようにした。【選択図】図１
2010181947.tif 000002
【特許請求の範囲】
【請求項１】
プラントの運転情報が入力されるプラント情報入力部、
月日時刻情報を発生させる月日時刻情報発生部、
上記プラントの各プロセスをスケジュール運転するためのスケジュール情報と上記プロセスを自動的に監視するための監視情報と上記プロセスをオペレータが監視するための表示情報とを予め設定し、格納したスケジュール情報データベース、
上記月日時刻情報発生部により発生された月日時刻情報及び上記プラント情報入力部に入力されたプラント運転情報及び上記スケジュール情報データベースに格納されたスケジュール情報に基づき、スケジュール運転状態かどうかを判定するスケジュール状態判定部、
このスケジュール状態判定部によりスケジュール運転状態が判定されたプロセスについて上記スケジュール情報と上記監視情報と上記表示情報とを、上記スケジュール情報データベースから選択する情報選択部、
この情報選択部により選択された監視情報に基づき、上記プラント情報入力部に入力されたプラント運転情報により上記プロセスを監視するプロセス監視部、
このプロセス監視部による上記プロセスの監視状態の情報及び上記情報選択部により選択された表示情報に基づき、上記プロセスをオペレータが監視するための表示画面を作成し、出力する画面表示出力部を備えたことを特徴とするプラント監視装置。
【請求項２】
上記プロセス監視部による上記プロセスの監視状態の情報を保存し、上記スケジュール運転の終了後に、上記スケジュール情報データベースの監視情報を見直し、更新することを特徴とする請求項１記載のプラント監視装置。
【請求項３】
上記スケジュール運転中に、オペレータが必要によって監視画面をリクエスト表示した場合には、上記リクエスト表示した監視画面を保存し、スケジュール運転終了後に、上記保存した監視画面により、上記スケジュール情報データベースの上記表示情報を見直し、更新することを特徴とする請求項１記載のプラント監視装置。
【請求項４】
上記スケジュール状態判定部によりスケジュール運転状態が判定されたプロセスが複数の場合にも、各プロセスについて監視及び表示画面の出力を行えるようにしたことを特徴とする請求項１記載のプラント監視装置。
【請求項５】
上記画面表示出力部を複数設けるとともに、
上記複数の画面表示出力部に表示分担させるように表示分担操作入力を行うための表示分担操作入力部を備え、
上記各画面表示出力部は、上記表示分担操作入力部から入力された表示分担にしたがう表示画面を出力することを特徴とする請求項１記載のプラント監視装置。
【発明の詳細な説明】
【技術分野】
【０００１】
この発明は、プラントの各種運転業務をスケジュール運転として総合的に管理し、スケジュール情報と関連する情報を自動的に表示するようにしたプラント監視装置に関するものである。
【背景技術】
【０００２】
この発明に近い従来技術としては、プラントの部分的な運転状態によって表示画面を自動表示する技術がある。（例えば特許文献１）
また、プラントの運転スケジュールの管理として、プラント状態によって処置実行を告知する技術がある。（例えば特許文献２）
【先行技術文献】
【特許文献】
【０００３】
【特許文献１】特開平０２−２０８６９３号公報（第２〜６頁、図１）
【特許文献２】特開２０００−３０５６１９号公報（第３〜１２頁、図１）
【発明の概要】
【発明が解決しようとする課題】
【０００４】
特許文献１、２などの従来のプラント監視装置においては、プラントの状態、プロセスのスケジュールなどの経過、変化によってオペレータの判断要素が大きく、その判断によって行う端末操作も多く必要となり、オペレータへの負荷、ストレスが大きく問題であった。
また、オペレータの経験によって、プラント変化への対応時間の遅れや、プラント運転の質も変わるため、均一な結果が得られないという問題もあった。
【０００５】
この発明は、上述のような課題を解決するためになされたものであり、プラントのスケジュール運転に合わせて、プロセス監視を自動的に行い、オペレータの負荷、ストレスを軽減するプラント監視装置を得ることを目的としている。
【課題を解決するための手段】
【０００６】
この発明に係わるプラント監視装置においては、
プラントの運転情報が入力されるプラント情報入力部、
月日時刻情報を発生させる月日時刻情報発生部、
プラントの各プロセスをスケジュール運転するためのスケジュール情報とプロセスを自動的に監視するための監視情報とプロセスをオペレータが監視するための表示情報とを予め設定し、格納したスケジュール情報データベース、
月日時刻情報発生部により発生された月日時刻情報及びプラント情報入力部に入力されたプラント運転情報及びスケジュール情報データベースに格納されたスケジュール情報に基づき、スケジュール運転状態かどうかを判定するスケジュール状態判定部、
このスケジュール状態判定部によりスケジュール運転状態が判定されたプロセスについてスケジュール情報と監視情報と表示情報とを、スケジュール情報データベースから選択する情報選択部、
この情報選択部により選択された監視情報に基づき、プラント情報入力部に入力されたプラント運転情報によりプロセスを監視するプロセス監視部、
このプロセス監視部によるプロセスの監視状態の情報及び情報選択部により選択された表示情報に基づき、プロセスをオペレータが監視するための表示画面を作成し、出力する画面表示出力部を備えたものである。
【発明の効果】
【０００７】
この発明は、以上説明したように、
プラントの運転情報が入力されるプラント情報入力部、
月日時刻情報を発生させる月日時刻情報発生部、
プラントの各プロセスをスケジュール運転するためのスケジュール情報とプロセスを自動的に監視するための監視情報とプロセスをオペレータが監視するための表示情報とを予め設定し、格納したスケジュール情報データベース、
月日時刻情報発生部により発生された月日時刻情報及びプラント情報入力部に入力されたプラント運転情報及びスケジュール情報データベースに格納されたスケジュール情報に基づき、スケジュール運転状態かどうかを判定するスケジュール状態判定部、
このスケジュール状態判定部によりスケジュール運転状態が判定されたプロセスについてスケジュール情報と監視情報と表示情報とを、スケジュール情報データベースから選択する情報選択部、
この情報選択部により選択された監視情報に基づき、プラント情報入力部に入力されたプラント運転情報によりプロセスを監視するプロセス監視部、
このプロセス監視部によるプロセスの監視状態の情報及び情報選択部により選択された表示情報に基づき、プロセスをオペレータが監視するための表示画面を作成し、出力する画面表示出力部を備えたので、プラントのスケジュール運転に合わせて、プロセス監視を自動的に行い、関連する情報を表示することにより、オペレータは、個々の監視判断や表示操作が不要となり、負担、ストレスが軽減される。
【図面の簡単な説明】
【０００８】
【図１】この発明の実施の形態１によるプラント監視装置を示す構成図である。
【図２】この発明の実施の形態１によるプラント監視装置の表示画面例を示す図である。
【図３】この発明の実施の形態１によるプラント監視装置の処理を示すフローチャートである。
【図４】この発明の実施の形態２によるプラント監視装置を示す構成図である。
【図５】この発明の実施の形態２によるプラント監視装置の処理を示すフローチャートである。
【図６】この発明の実施の形態３によるプラント監視装置を示す構成図である。
【図７】この発明の実施の形態３によるプラント監視装置の処理を示すフローチャートである。
【図８】この発明の実施の形態４によるプラント監視装置を示す構成図である。
【図９】この発明の実施の形態４によるプラント監視装置の処理を示すフローチャートである。
【図１０】この発明の実施の形態５によるプラント監視装置を示す構成図である。
【図１１】この発明の実施の形態５によるプラント監視装置の処理を示すフローチャートである。
【発明を実施するための形態】
【０００９】
実施の形態１．
以下、この発明の実施の形態１を図に基づいて説明する。
本発明においては、プラントの各種運転業務をプロセスのスケジュールとしてとらえ、そのスケジュールを１単位として監視することを基本とし、この単位で、スケジュール運転、監視を行うものである。このスケジュール単位の運転、監視では、監視の自動化、表示の自動化を実施し、スケジュール単位での監視では、監視の単純化と、監視の質を継続的に向上させるようにしている。
【００１０】
図１は、この発明の実施の形態１によるプラント監視装置を示す構成図である。
図１において、プラント監視装置１には、プラント３からプロセス情報であるプラント運転情報が入力され、内部にて判断処理した結果を、表示装置２に表示し、それをオペレータが監視する。
プラント監視装置１は、次のように構成されている。
月日時刻発生部１ａ（月日時刻情報発生部）は、時刻情報を発生する。プラント情報入力部１ｃには、プラント３からプラント運転情報が入力される。スケジュール状態判定部１ｂは、月日時刻発生部１ａから時刻情報が入力され、またプラント情報入力部１ｃからプラント運転情報が入力され、これらを予め設定されたスケジュール情報と比較し、プロセスのスケジュール運転が開始される状態であることを判定して、スケジュール開始情報を情報選択部１ｄへ出力する。プロセスをスケジュール運転するためのスケジュール情報は、そのプロセスを自動的に監視するための情報である関連監視情報及びそのプロセスをオペレータが監視するために表示するための関連表示情報とともに、予め設定され、スケジュール情報データベース（図２のｄ１）に格納されている。
情報選択部１ｄは、スケジュール状態判定部１ｂからのスケジュール開始情報とプラント情報入力部１ｃに入力されたプラント運転情報を基にして、スケジュール情報データベースからスケジュール情報、関連監視情報、関連表示情報を選択し、プロセス監視部１ｅ、表示画面部１ｆ〜１ｉに出力する。
【００１１】
プロセス監視部１ｅは、情報選択部１ｄで選択された関連監視情報に基づき、プラント情報入力部に入力されたプラント運転情報をチェックして、スケジュール監視、警報監視などのプロセス監視を自動的に行い、その監視情報を表示画面作成部１ｆ〜１ｉへ出力する。メッセージ表示画面作成部１ｆでは、スケジュールに関連した警報メッセージ、イベントメッセージなどを選択し、表示画面を作成する。系統図表示画面作成部１ｇでは、スケジュールに関連した系統を選択して表示画面を作成する。トレンドグラフ表示画面作成部１ｈでは、スケジュールに関連したプロセス情報を選択してトレンドグラフの表示画面を作成する。スケジュール表示画面作成部１ｉでは、スケジュールの予定、実績、関連情報を選択して表示画面を作成する。画面表示出力部１ｊは、各表示画面作成部１ｆ〜１ｉで作成された表示画面を表示装置２に出力する。
表示装置２に出力された画面はオペレータによって監視される。
【００１２】
図２は、この発明の実施の形態１によるプラント監視装置の表示画面例を示す図である。
図２において、表示装置２の画面ｇは、スケジュール表示部ｇ１と、メッセージ表示部ｇ２と、各種監視画面表示部ｇ３から構成されている。スケジュール表示部ｇ１は、当該プロセスのスケジュールである予定、実績などの工程を示す。メッセージ表示部ｇ２は、警報メッセージ、イベントメッセージなどの表示を行う。各種監視画面表示部ｇ３は、トレンドグラフウィンドウ表示ｇ３１、ｇ３２と、系統図ウィンドウ表示ｇ３３、ｇ３４とを有する。
【００１３】
図３は、この発明の実施の形態１によるプラント監視装置の処理を示すフローチャートである。
図３において、スケジュール情報データベースｄ１には、スケジュール情報、関連監視情報、関連表示情報が格納されている。
【００１４】
次に、動作について、図３のフローチャートに基づいて説明する。
ＳＴＡＲＴ後、ステップｓ１にて、時刻情報を入力し、ステップｓ２にて、プラント運転情報を入力し、ステップｓ３にて、スケジュール情報データベースｄ１からスケジュール情報を入力し、ステップｓ４で、スケジュール運転が開始される状態であるかどうかを判定し、スケジュール運転が開始される状態であれば、ステップｓ５の情報選択に移行し、スケジュール運転が開始される状態でない場合は、ステップｓ１２に移行する。
ステップｓ５にて、スケジュール情報データベースｄ１からスケジュール情報、関連監視情報、関連表示情報を選択し、ステップｓ６のプロセス監視処理にて、選択された関連監視情報に基づき、スケジュール監視、プロセス監視などを自動的に実施する。ステップｓ７では、スケジュールに関連した警報メッセージ、イベントメッセージなどを選択し、メッセージ表示画面を作成する。
【００１５】
次いで、ステップｓ８では、スケジュールに関連した系統を選択して系統図表示画面を作成し、ステップｓ９では、スケジュールに関連したプロセス情報を選択してトレンドグラフ表示画面を作成する。ステップｓ１０では、スケジュールの予定、実績、関連情報を選択してスケジュール表示画面を作成する。そして、ステップｓ１１にて、作成した表示画面（図２参照）を表示装置２に出力する。
ステップｓ１２では、監視終了かどうかを判定し、継続の場合は、ステップｓ１３にて監視周期後にステップｓ１に移行する。ステップｓ１２で監視終了の場合は、監視を終了する。
このように、プラントの各種運転業務をスケジュール運転として総合的に管理し、スケジュール情報と関連する監視情報、表示情報によって自動的に監視、表示することを可能としている。
【００１６】
実施の形態１によれば、プラントの各種運転業務をスケジュール運転として総合的に管理し、スケジュールを判別して、スケジュールを自動的に監視するとともに関連する情報を表示するようにしたので、オペレータは、個々の監視判断や表示操作が不要となり、負担、ストレスが軽減される。
【００１７】
実施の形態２．
以下、この発明の実施の形態２を図に基づいて説明する。
実施の形態１では、予め設定されたスケジュール情報に従って、自動的に運転監視を可能とするものであったが、実施の形態２は、予め設定されているスケジュール情報をプロセスがそのスケジュールで運転される都度、その設定を見直すようにしたものである。
図４は、この発明の実施の形態２によるプラント監視装置を示す構成図である。
図４において、１、１ｅは図１におけるものと同一のものである。図１の１ａ〜１ｄ、１ｆ〜１ｊ、２、３は図示を省略している。
図４のプラント監視装置１には、プロセス運転情報監視保存部１ｋとスケジュール情報・監視情報更新部１ｌが追加されている。
プロセス監視部１ｅは、情報選択部で選択されたスケジュールの関連監視情報に従って、プロセスの監視を行い、プロセス運転情報監視保存部１ｋで、運転結果、監視結果を保存する。そして、そのスケジュールが終了した後に、スケジュール情報・監視情報更新部１ｌで、スケジュール情報データベースｄ１のスケジュール情報、関連監視情報を見直し、更新する。
【００１８】
図５は、この発明の実施の形態２によるプラント監視装置の処理を示すフローチャートである。
【００１９】
次に、動作について、図５のフローチャートに基づいて説明する。
図５は、図３のステップｓ６とｓ７の間にステップｓ１４を挿入し、ステップｓ１２の次にｓ１５を設けたものである。
ステップｓ６の後、ステップｓ１４にて、プロセス運転情報、監視情報の保存を行い、ステップｓ１２で、スケジュールの終了後に、ステップｓ１５にて、ステップｓ１４でのプロセス運転情報、監視情報の保存情報によって、スケジュール情報データベースｄ１のスケジュール情報、関連監視情報を見直し、更新する。
その他のフローは、図３（実施の形態１）と同じものである。
【００２０】
実施の形態２によれば、スケジュール運転の自動監視で得られるプロセス監視情報で、そのスケジュール運転が終了した後に、スケジュール情報データベースを見直し、更新することにより、次の同一スケジュール運転での効率的な運転が可能となる。
【００２１】
実施の形態３．
以下、この発明の実施の形態３を図に基づいて説明する。
実施の形態１では、予め設定されたスケジュール情報の関連表示情報に従って、自動的に表示画面作成、画面表示を可能するものであったが、実施の形態３は、予め設定されているスケジュール情報をプロセスがそのスケジュールで運転される都度、オペレータ表示されたものによって設定を見直すようにしたものである。
【００２２】
図６は、この発明の実施の形態３によるプラント監視装置を示す構成図である。
図６において、１、１ｅ〜１ｉは図１におけるものと同一のものである。また、図示しないが、図１のプラント監視装置１の各部を備え、表示装置２、プラント３は図１と同様に接続されているものとする。
図６のプラント監視装置１には、表示操作入力部１ｍ、オペレータ操作表示情報保存部１ｎ、スケジュール情報・表示情報更新部１ｏが追加され、マウス４、キーボード５が接続されている。
図６では、マウス４、キーボード５によって、オペレータがスケジュール運転中に表示操作を行うと、プラント監視装置１内の表示操作入力部１ｍで、操作内容を確認し、各種表示画面作成部１ｆ〜１ｉとオペレータ操作表示情報保存部１ｎへオペレータ表示操作情報を出力し、オペレータ操作表示情報保存部１ｎでは、オペレータ表示操作情報を保存する。スケジュール情報・表示情報更新部１ｏで、スケジュール運転終了後に保存されたオペレータ表示操作情報から、スケジュール情報データベースｄ１の関連する情報を見直し、更新する。
【００２３】
図７は、この発明の実施の形態３によるプラント監視装置の処理を示すフローチャートである。
【００２４】
次に、動作について、図７のフローチャートに基づいて説明する。
図７は、図３のステップｓ６とステップｓ７の間に、ステップｓ１７〜ステップｓ１９を挿入し、ステップｓ１２の後にステップｓ２０を追加している。
ステップｓ６の後、ステップｓ１６で、オペレータ操作を入力し、ステップｓ１７で表示操作が無ければ、ステップｓ７へ移行し、オペレータ操作があれば、ステップｓ１８でオペレータ表示操作情報を各種表示画面作成処理へ出力し、ステップｓ１９で、オペレータ表示操作情報を保存する。
ステップｓ１２で、スケジュール運転を終了した後、ステップｓ２０で保存されたオペレータ表示操作情報により、スケジュール情報データベースｄ１の関連表示情報を見直し、更新する。
その他のフローは、図３（実施の形態１）と同じものである。
【００２５】
実施の形態３によれば、スケジュール運転に関連した画面表示情報を、そのスケジュール運転中にオペレータが必要としたオペレータ操作で、スケジュール運転が終了した後に、スケジュール情報データベースを更新することにより、次の同一スケジュール運転で、そのオペレータ操作した画面を自動表示することが可能となり、オペレータの負担が軽減される。
【００２６】
実施の形態４．
以下、この発明の実施の形態４を図に基づいて説明する。
実施の形態１では、予め設定されたスケジュール情報に従って、１つのスケジュールについての運転監視、画面表示を可能とするものであったが、実施の形態４は、複数のスケジュールに対して、スケジュール運転監視、画面表示を可能とするものである。
【００２７】
図８は、この発明の実施の形態４によるプラント監視装置を示す構成図である。
図８において、１、１ａ、１ｃ、１ｅは図１におけるものと同一のものである。また、図示しないが、図１のプラント監視装置１の各部を備え、表示装置２、プラント３は図１と同様に接続されているものとする。
図８のプラント監視装置１は、複数スケジュール状態判定部１ｐと複数のスケジュール情報選択部１ｑを有している。
図８のプラント監視装置１内の複数スケジュール状態判定部１ｐで、月日時刻発生部１ａより入力した時刻と、予め設定されたスケジュール情報によって、スケジュール運転を開始される状態のスケジュールがあるかどうかを判定する。その際、複数のスケジュールについて判定し、実施すべきスケジュールを出力する。複数のスケジュール情報選択部１ｑは、複数スケジュール選択、複数関連監視情報選択、複数関連表示情報選択を行い、複数の監視情報、複数の表示情報を出力する。
【００２８】
図９は、この発明の実施の形態４によるプラント監視装置の処理を示すフローチャートである。
【００２９】
次に動作について、図９のフローチャートに基づいて説明する。
図９は、図３のステップｓ４でｙｅｓの場合に、ｓ２１〜ｓ２３を実行し、ｓ２２の判定で、ｎｏの場合はｓ５へ進み、ｓ２３の次にｓ６に進む。
ステップｓ４でｙｅｓの場合、ステップｓ２１で、スケジュール情報データベースｄ１より予め設定されたスケジュール情報を入力し、ステップｓ２２で、時刻情報とスケジュール情報から複数のスケジュールが開始される状態かどうかを判定し、スケジュールが開始される状態で無ければ、ステップｓ５へ移行、スケジュールが開始される状態であれば、ステップｓ２２で、複数のスケジュール情報を選択、複数の監視情報の選択、複数の表示情報の選択を行い、出力する。
ステップｓ５、ステップｓ６以降の処理は、図３と同じ処理である。
【００３０】
実施の形態４によれば、プラントのスケジュール運転において、複数のスケジュールについて、同時に運転、プロセス監視、画面表示を可能にすることにより、スケジュール運転における複数の監視装置、複数のオペレータが不要となり、設備の軽減、人件費の削減が可能となる。
【００３１】
実施の形態５．
以下、この発明の実施の形態５を図に基づいて説明する。
実施の形態１では、予め設定されたプロセスのスケジュール情報に従って、自動的にスケジュール運転監視、画面表示が可能となるワンマンオペレーションのプラント監視装置についてのものであったが、実施の形態５は、複数のオペレータ、複数の端末でスケジュール運転監視、画面表示を可能とするものである。
【００３２】
図１０は、この発明の実施の形態５によるプラント監視装置を示す構成図である。
図１０において、１、１ｅ、１ｊ、２は図１におけるものと同一のものである。また、図示しないが、図１のプラント監視装置１の各部を備え、プラント３は図１と同様に接続されているものとする。
図１０のプラント監視装置１は、表示分担操作入力部１ｒ、スケジュール情報選択表示分担付加部１ｓ、メッセージ表示画面作成部１ｔ、系統図表示画面作成部１ｕ、トレンドグラフ表示画面作成部１ｖ、スケジュール表示画面作成部１ｗ、画面２表示出力部１ｘを有し、マウス４、キーボード５、表示装置２、６が接続されている。
図１０では、マウス４、キーボード５によってオペレータが表示分担を入力すると、プラント監視装置１内の表示分担操作入力部１ｒで、操作内容を確認、表示分担を出力し、スケジュール情報選択表示分担付加部１ｓで、スケジュール情報、関連監視情報、関連表示情報を選択するとともに、関連表示情報には表示分担によって表示出力端末情報を付加する。
【００３３】
メッセージ表示画面作成部１ｔでは、スケジュールに関連した警報メッセージ、イベントメッセージなどを選択し、表示分担に応じた２つの表示画面２を作成する。系統図表示画面作成部１ｕでは、スケジュールに関連した系統を選択し、表示分担に応じた２つの表示画面を作成する。トレンドグラフ表示画面作成部１ｖでは、スケジュールに関連したプロセス情報を選択し、表示分担に応じた２つの表示画面を作成する。
スケジュール表示画面作成部１ｗでは、スケジュールの予定、実績、関連情報を選択し、表示分担に応じた２つの表示画面を作成する。画面表示出力部１ｊで、表示画面作成部１ｔ〜１ｗで作成した１つの表示画面を表示装置２に出力する。画面２表示出力部１ｘは、表示画面作成部１ｔ〜１ｗで作成したもう１つの表示画面を表示装置６に出力する。
【００３４】
図１１は、この発明の実施の形態５によるプラント監視装置の処理を示すフローチャートである。
【００３５】
次に、動作について、図１１のフローチャートに基づいて説明する。
図１１は、図３のステップｓ４でｙｅｓの場合と、ステップｓ１２との間に挿入される処理である。ステップｓ２５の判定でｎｏの場合は、図３のステップｓ５に進み、ｙｅｓの場合は、ｓ２６〜ｓ３３が実施される。
図３のステップｓ４で、ｙｅｓのとき、ステップｓ２４で、表示分担オペレータ操作を入力し、ステップｓ２５で、表示分担操作なしの場合に、ステップｓ５へ移行し、有りの場合には、ステップｓ２６で、スケジュール情報データベースｄ１よりスケジュール情報、関連監視情報、関連表示情報を選択するとともに、表示情報には表示分担情報を付加する。
次いで、ステップｓ２７で、プロセス監視を行い、ステップｓ２８で、表示分担に応じた２つのメッセージ表示画面を作成し、ステップｓ２９で、表示分担に応じた２つの系統図表示画面を作成し、ステップｓ３０で、表示分担に応じた２つのトレンドグラフ表示画面を作成し、ステップｓ３１で、表示分担に応じた２つのスケジュール表示画面を作成する。
次いで、ステップｓ３２で表示装置２へ１つ目の画面表示出力を行い、ステップｓ３３で、表示装置６へ２つ目の画面表示出力を行う。
ステップｓ２５で、Ｎｏのときは図３のステップｓ５へ進み、以後の処理は図３と同じである。
【００３６】
実施の形態５によれば、プラントのスケジュール運転において、複数の表示端末から複数のオペレータによってスケジュール運転監視、プロセス監視、画面監視を行う場合、表示分担によって自動的に画面表示が分担されるので、効率的な複数オペレータでのスケジュール運転、監視が可能となる。
このため、オペレータの経験による分担やプロセスのある部分を抜き出して監視したい場合などに有効である。
【符号の説明】
【００３７】
１  プラント監視装置
１ａ  月日時刻発生部
１ｂ  スケジュール状態判定部
１ｃ  プラント情報入力部
１ｄ  情報選択部
１ｅ  プロセス監視部
１ｆ  メッセージ表示画面作成部
１ｇ  系統図表示画面作成部
１ｈ  トレントグラフ表示画面作成部
１ｉ  スケジュール表示画面作成部
１ｊ  画面表示出力部
１ｋ  プロセス運転情報・監視情報保存部
１ｌ  スケジュール情報・監視情報更新部
１ｍ  表示操作入力部
１ｎ  オペレータ表示操作情報保存部
１ｏ  スケジュール情報・表示情報更新部
１ｐ  複数スケジュール情報判定部
１ｑ  複数のスケジュール情報選択部
１ｒ  表示分担操作入力部
１ｓ  スケジュール情報選択表示分担付加部
１ｔ  メッセージ表示分担画面作成部
１ｕ  系統図表示分担画面作成部
１ｖ  トレンドグラフ表示分担画面作成部
１ｗ  スケジュール表示分担画面作成部
２  表示装置
３  プラント
４  マウス
５  キーボード
６  表示装置
ｄ１  スケジュール情報データベース
【図１】
2010181947.tif 000003
【図３】
2010181947.tif 000004
【図４】
2010181947.tif 000005
【図５】
2010181947.tif 000006
【図６】
2010181947.tif 000007
【図７】
2010181947.tif 000008
【図８】
2010181947.tif 000009
【図９】
2010181947.tif 000010
【図１０】
2010181947.tif 000011
【図１１】
2010181947.tif 000012
【図２】
2010181947.tif 000013